(57)【要約】      （修正有）【課題】排出された被記録媒体を装置の設置面に接触させることなく、かつ、被記録媒体の先端のダメージを低減することができる記録装置を提供する。【解決手段】記録装置１は、送られた被記録媒体に対して記録を実行する記録部４と、該記録部４を有する装置本体部２と、該装置本体部２から排出された被記録媒体を載置する排出スタッカ２０と、該排出スタッカ２０の排出方向下流端２４と、該排出スタッカの排出方向下流端より載置方向上方において、装置本体部２ａ（２）とを連結して側視閉領域Ａを形成する可撓性部材７１と、を備えていることを特徴とする。【選択図】図３
2010111463.tif 000002
【特許請求の範囲】
【請求項１】
送られた被記録媒体に対して記録を実行する記録部と、
該記録部を有する装置本体部と、
該装置本体部から排出された被記録媒体を載置する排出スタッカと、
該排出スタッカの排出方向下流端と、該排出スタッカの排出方向下流端より載置方向上方において前記装置本体部とを連結して側視閉領域を形成する可撓性部材と、を備える記録装置。
【請求項２】
送られた被記録媒体に対して記録を実行する記録部と、
該記録部を有する装置本体部と、
該装置本体部から排出された被記録媒体を載置する排出スタッカと、
該記録装置が設置された設置面に接触しない程度に弛ませた状態で前記排出スタッカの排出方向下流端と、該排出スタッカの排出方向下流端より載置方向上方において前記装置本体部とを連結する可撓性部材と、を備える記録装置。
【請求項３】
送られた被記録媒体に対して記録を実行する記録部と、
該記録部を有する装置本体部と、
該装置本体部から排出された被記録媒体を載置する排出スタッカと、
該排出スタッカの排出方向下流端と、該排出スタッカの排出方向下流端より載置方向上方において前記装置本体部とを連結する可撓性部材と、を備え、
被記録媒体が排出されることに従って前記排出スタッカの排出方向下流端からはみ出た被記録媒体の先端が、前記可撓性部材と接触し該可撓性部材によって前記装置本体部側へ案内される構成である記録装置。
【請求項４】
請求項１乃至３のいずれか１項に記載の記録装置において、前記排出スタッカは、該排出スタッカの排出方向下流端より排出方向上流側に設けられた回動軸を支点に回動し、
収納時にとる第１位置、および前記装置本体部から排出された被記録媒体を載置する第２位置を有する記録装置。
【請求項５】
請求項１乃至４のいずれか１項に記載の記録装置において、前記可撓性部材は、ひも状物である記録装置。
【請求項６】
請求項５に記載の記録装置において、前記ひも状物の両端は、前記装置本体部と係合し、前記ひも状物の中間部分は、前記排出スタッカの排出方向下流端と幅方向における中央部分において係合する構成である記録装置。
【請求項７】
請求項１乃至６のいずれか１項に記載の記録装置において、前記排出スタッカは、排出方向下流端において、上流側から下流側へ進むに従い載置方向上方へ変位するように傾斜した第１傾斜部を有する記録装置。
【請求項８】
請求項１乃至７のいずれか１項に記載の記録装置において、前記排出スタッカは、前記装置本体部の鉛直方向下方に設けられ、
該装置本体部から前記排出スタッカまでの間において、排出方向下流側へ進むに従い鉛直方向下方へ変位するように傾斜した第２傾斜部を有する記録装置。
【請求項９】
請求項８に記載の記録装置において、前記第２傾斜部は、シート状の第１部材と、
該第１部材の載置方向上方において、被記録媒体の排出方向に延設されると共に被記録媒体の幅方向に複数設けられ、前記第１部材より摩擦係数が小さい第２部材と、を有する記録装置。
【発明の詳細な説明】
【技術分野】
【０００１】
本発明は、送られた被記録媒体に対して記録を実行する記録部と、該記録部を有する装置本体部と、該装置本体部から排出された被記録媒体を載置する排出スタッカと、を備える記録装置に関する。  
本願において、記録装置には、インクジェットプリンタ、ワイヤドットプリンタ、レーザープリンタ、ラインプリンタ、複写機、ファクシミリ等の種類が含まれるものとする。
【背景技術】
【０００２】
従来では、特許文献１に示す如く、記録装置は、シート状物を送出する送出手段と、該送出手段によって排出されたシート状物が積載される積載台と、を備えていた。また、前記積載台の上方で、かつ、前記送出手段のシート状物排出方向前方に、柔軟な部材によって構成された突当て体としての鎖を垂下させるように設置されていた。そして、前記送出手段から送出されたシート状物の先端を前記鎖に突当てて、シート状物を前記積載台へ落下させていた。
【特許文献１】特開２００１−３２８７６２号公報
【発明の開示】
【発明が解決しようとする課題】
【０００３】
ところが、シート状物が勢いよく送出された場合は、前記鎖がシート状物を十分に受け止めることができない虞がある。そして、シート状物の先端側が前記積載台から飛び出して前記記録装置の設置面である床と接触し、汚れてしまう虞がある。  
また、従来では、図９に示す如く、十分に受け止めることができる構成があった。  
図９に示すのは、従来技術における排出スタッカの一例を示す概略側面図である。  
図９に示す如く、排出スタッカ８０には、排出方向下流端を垂直に立ち上げた度当てストッパ８１が設けられていた。従って、記録部８３から勢いよく排出された用紙８２の先端が度当てストッパ８１と度当たることにより、用紙８２は停止することができた。即ち、度当てストッパ８１は、用紙８２を受け止めることができた。  
しかしながら、用紙８２は勢いよく排出されるため、用紙８２の先端が、度当てストッパ８１と度当たることにより、折れ曲がる等の破損する虞がある。
【０００４】
本発明は、このような状況に鑑み成されたものであり、その課題は、排出された被記録媒体を装置の設置面に接触させることなく、かつ、被記録媒体の先端のダメージを低減することができる記録装置を提供することである。
【課題を解決するための手段】
【０００５】
上記課題を達成するため、本発明の第１の態様の記録装置は、送られた被記録媒体に対して記録を実行する記録部と、該記録部を有する装置本体部と、該装置本体部から排出された被記録媒体を載置する排出スタッカと、該排出スタッカの排出方向下流端と、該排出スタッカの排出方向下流端より載置方向上方において前記装置本体部とを連結して側視閉領域を形成する可撓性部材と、を備えていることを特徴とする。  
ここで、「載置方向上方」とは、排出スタッカを基準に被記録媒体が載置される側をいう。また、「側視閉領域」とは、排出方向下流側が閉じられた領域をいう。
【０００６】
本発明の第１の態様によれば、前記可撓性部材は、前記排出スタッカの排出方向下流端と、該排出スタッカの排出方向下流端より載置方向上方において前記装置本体部とを連結して側視閉領域を形成する。従って、排出された被記録媒体の先端側が前記排出スタッカの排出方向下流端からはみ出した場合であっても、被記録媒体の先端側が、前記記録装置が設置された設置面と接触する虞がない。即ち、勢いよく排出された場合であっても被記録媒体の先端側が、前記排出スタッカの排出方向下流端から飛び出し、前記設置面と接触することを防止することができる。その結果、被記録媒体が前記設置面と接触することによって汚損されることを防止することができる。
【０００７】
また、前記可撓性部材が撓むことにより、前記排出スタッカの排出方向下流端からはみ出た被記録媒体の先端を、該可撓性部材の一端側で柔軟に受け止めながら他端側である前記装置本体部側へ案内することが可能である。即ち、被記録媒体の先端が度当たるのではなく、前記可撓性部材が撓みながら柔軟に被記録媒体を受け止める。そして、受け止めながら被記録媒体の先端が進む方向を上方へ変えることができる。その結果、被記録媒体の先端のダメージを、従来技術の度当たる構成と比較して、低減することができる。
【０００８】
本発明の第２の態様の記録装置は、送られた被記録媒体に対して記録を実行する記録部と、該記録部を有する装置本体部と、該装置本体部から排出された被記録媒体を載置する排出スタッカと、該記録装置が設置された設置面に接触しない程度に弛ませた状態で前記排出スタッカの排出方向下流端と、該排出スタッカの排出方向下流端より載置方向上方において前記装置本体部とを連結する可撓性部材と、を備えていることを特徴とする。
【０００９】
本発明の第２の態様によれば、前記可撓性部材は、前記記録装置が設置された設置面に接触しない程度に弛ませた状態で前記排出スタッカの排出方向下流端と、該排出スタッカの排出方向下流端より載置方向上方において前記装置本体部とを連結する構成である。従って、上記第１の態様と同様の作用効果を得ることができる。  
さらに、前記可撓性部材を弛ませた状態で前記連結することにより、勢いよく排出された被記録媒体の先端を、該可撓性部材の一端側でより柔軟に受け止めながら他端側である前記装置本体部側へ案内することができる。即ち、弛んでいる分、被記録媒体の先端が該可撓性部材と接触してから該可撓性部材がぴんと張るまでの時間を長くし、被記録媒体の先端に作用する力の大きさを分散させることができる。そして、弛ませていた分、緩やかな軌跡で被記録媒体の先端が進む方向を上方へ変えながら受け止めることができる。
【００１０】
本発明の第３の態様の記録装置は、送られた被記録媒体に対して記録を実行する記録部と、該記録部を有する装置本体部と、該装置本体部から排出された被記録媒体を載置する排出スタッカと、該排出スタッカの排出方向下流端と、該排出スタッカの排出方向下流端より載置方向上方において前記装置本体部とを連結する可撓性部材と、を備え、被記録媒体が排出されることに従って前記排出スタッカの排出方向下流端からはみ出た被記録媒体の先端が、前記可撓性部材と接触し該可撓性部材によって前記装置本体部側へ案内される構成であることを特徴とする。
【００１１】
本発明の第３の態様によれば、被記録媒体が排出されることに従って前記排出スタッカの排出方向下流端からはみ出た被記録媒体の先端が、前記可撓性部材と接触し該可撓性部材によって前記装置本体部側へ案内される構成である。従って、上記第１の態様と同様の作用効果を得ることができる。
【００１２】
本発明の第４の態様は、第１から第３のいずれか一の態様において、前記排出スタッカは、該排出スタッカの排出方向下流端より排出方向上流側に設けられた回動軸を支点に回動し、収納時にとる第１位置、および前記装置本体部から排出された被記録媒体を載置する第２位置を有することを特徴とする。  
本発明の第４の態様によれば、第１から第３のいずれか一の態様と同様の作用効果に加え、前記排出スタッカは、該排出スタッカの排出方向下流端より排出方向上流側に設けられた回動軸を支点に回動し、収納時にとる第１位置、および前記装置本体部から排出された被記録媒体を載置する第２位置を有する。即ち、前記排出スタッカが複数のポジションへ回動する構成である。係る場合であっても、前記可撓性部材は、前記排出スタッカの回動を妨げる虞がない。また、収納時にとる前記第１位置のとき、前記可撓性部材が邪魔になる虞がない。  
またさらに、前記第１位置のとき、前記可撓性部材を前記排出スタッカの内側へ収納することができ、見栄えがよい。
【００１３】
本発明の第５の態様は、第１から第４のいずれか一の態様において、前記可撓性部材は、ひも状物であることを特徴とする。  
本発明の第５の態様によれば、第１から第４のいずれか一の態様と同様の作用効果に加え、前記可撓性部材は、ひも状物である。従って、容易に前記可撓性部材を構成することができる。また、シート状に構成した場合と比較して軽量である。またさらに、コスト面に優れている。
【００１４】
本発明の第６の態様は、第５の態様において、前記ひも状物の両端は、前記装置本体部と係合し、前記ひも状物の中間部分は、前記排出スタッカの排出方向下流端と幅方向における中央部分において係合する構成であることを特徴とする。  
本発明の第６の態様によれば、第５の態様と同様の作用効果に加え、前記ひも状物の両端は、前記装置本体部と係合し、前記ひも状物の中間部分は、前記排出スタッカの排出方向下流端と幅方向における中央部分において係合する構成である。言い換えると、前記ひも状物は、Ｖ字状に設けられている。従って、幅方向において、被記録媒体のサイズが異なる場合でも対応することができる。また、２点で被記録媒体の先端と接触することができるので、被記録媒体の姿勢が不安定になる虞がない。またさらに、１本のひも状物により容易に構成することができる。即ち、複数本用いる必要がない。
【００１５】
本発明の第７の態様は、第１から第６のいずれか一の態様において、前記排出スタッカは、排出方向下流端において、上流側から下流側へ進むに従い載置方向上方へ変位するように傾斜した第１傾斜部を有することを特徴とする。  
本発明の第７の態様によれば、第１から第６のいずれか一の態様と同様の作用効果に加え、前記排出スタッカは、前記第１傾斜部を有する。従って、被記録媒体の先端が前記可撓性部材と接触する際の該可撓性部材に対する進入角を小さくし前記上方への案内をアシストすることができる。その結果、被記録媒体の先端のダメージをより低減することができる。
【００１６】
本発明の第８の態様は、第１から第７のいずれか一の態様において、前記排出スタッカは、前記装置本体部の鉛直方向下方に設けられ、該装置本体部から前記排出スタッカまでの間において、排出方向下流側へ進むに従い鉛直方向下方へ変位するように傾斜した第２傾斜部を有することを特徴とする。  
本発明の第８の態様によれば、第１から第７のいずれか一の態様と同様の作用効果に加え、前記排出スタッカは、前記第２傾斜部と有する。即ち、被記録媒体が、自重によって前記第２傾斜部を勢いよく滑り降りる構成である。係る場合、被記録媒体の先端が前記排出スタッカの排出方向下流端からはみ出る傾向にあるので、前記可撓性部材は、特に有効である。
【００１７】
本発明の第９の態様は、第８の態様において、前記第２傾斜部は、シート状の第１部材と、該第１部材の載置方向上方において、被記録媒体の排出方向に延設されると共に被記録媒体の幅方向に複数設けられ、前記第１部材より摩擦係数が小さい第２部材と、を有することを特徴とする。  
本発明の第９の態様によれば、第８の態様と同様の作用効果に加え、前記第２傾斜部は、前記第１部材と、前記第２部材と、を有する。即ち、排出された被記録媒体をより滑らかに排出方向下流側へ送ることができる構成である。係る場合、被記録媒体の先端が前記排出スタッカの排出方向下流端からより一層はみ出る傾向にあるので、前記可撓性部材は、特に有効である。
【発明を実施するための最良の形態】
【００１８】
以下、本発明の実施の形態を図面に基づいて説明する。  
図１は本発明に係る「記録装置」或いは「液体噴射装置」の一例としてのインクジェットプリンタ（以下「プリンタ」と言う）１の外観斜視図である。  
ここで、液体噴射装置とは、液体噴射ヘッドとしての記録ヘッドから記録紙等の被記録材へインクを噴射して被記録材への記録を実行するインクジェット式記録装置、複写機及びファクシミリ等の記録装置に限らず、インクに代えて特定の用途に対応する液体を前述した記録ヘッドに相当する液体噴射ヘッドから、被記録材に相当する被噴射材に噴射して、液体を被噴射材に付着させる装置を含む意味で用いる。
【００１９】
またさらに、液体噴射ヘッドとしては、前述した記録ヘッド以外に、液晶ディスプレイ等のカラーフィルタ製造に用いられる色材噴射ヘッド、有機ＥＬディスプレイや面発光ディスプレイ（ＦＥＤ）等の電極形成に用いられる電極材（導電ペースト）噴射ヘッド、バイオチップ製造に用いられる生体有機物噴射ヘッド、精密ピペットとしての試料を噴射する試料噴射ヘッド等が挙げられる。
【００２０】
プリンタ１は、例えばＪＩＳ規格のＡ０判やＢ０判などといった比較的大型サイズの幅を有する被噴射媒体或いは被記録媒体としてのロール紙Ｐにまで記録できる大型のプリンタであり、ロール紙供給部３及び記録実行部４を備えた本体部２と、排紙受け部５とを備えて構成されている。  
本体部２はベース９に立設された支柱８の上部に設けられており、記録の行われたロール紙Ｐを斜め下方に排出する排出口６を有している。排出口６の下方にはスタッカ１０の開口部７が位置しており、記録の行われたロール紙Ｐが排出口６から開口部７へ向けて排出され、スタッカ１０によって受け止められる。
【００２１】
ロール紙供給部３にはロール紙ロール（以下「ロール」と言う）Ｒが収納可能に構成され、ロールＲからロール紙Ｐが繰り出され、記録を実行する記録実行部４へと斜め下方へ供給される。そして、ロール紙ホルダ（図示せず）に、ロールＲがセットされる。ロール紙供給時には、ロール紙ホルダがロール駆動手段としてのスピンドルモータ（図示せず）により回転駆動されることにより、ロール紙Ｐが下流側に供給される。
【００２２】
記録実行部４は、ロール紙Ｐに対し液体としてのインクを吐出（噴射）する、液体噴射手段或いは記録手段としての記録ヘッド（図示せず）と、記録ヘッドと対向配置されるプラテン（図示せず）と、記録ヘッドの上流側に設けられ、ロール紙Ｐを下流側へ搬送する搬送駆動ローラ（図示せず）およびこれに圧接して従動回転する搬送従動ローラ（図示せず）と、を有している。
【００２３】
記録ヘッドはキャリッジ（図示せず）に設けられ、キャリッジは、記録ヘッドの走査方向Ｘ（主走査方向）に延びるガイド軸（図示せず）と、同様に主走査方向Ｘに延びるガイド板（図示せず）と、によってガイドされながら、図示しないモータの動力を受けて主走査方向Ｘに移動する。  
記録ヘッドの下流側には、用紙吸引部としてのエア吸引手段（図示せず）が設けられており、このエア吸引手段（図示せず）によって記録ヘッドの下流側においてロール紙Ｐが浮き上がらないように規制状態に置かれ、ロール紙Ｐの浮き上がりによる記録品質の低下が防止されるようになっている。
【００２４】
また、プリンタ１の前方には、ユーザが操作することができる操作部６０が設けられている。  
またさらに、プリンタ１の後方には、後方スタック２０が設けられている。後方スタック２０は、長さがＢ０以上の用紙Ｐを記録するときに使用するように構成されている。そして、後方スタック２０は、使用状態において、載置する長さを確保するべくプリンタ本体部２より後方へ突出するように設けられている。
【００２５】
また、ベース９の下方には、自由に方向が変えられる脚輪５２、５２…が４つ設けられている。  
またさらに、用紙飛び出し防止手段７０として、後方スタック２０における排出方向下流端であるスタック先端部２４と、本体部２とを連結する可撓性部材の一例であるひも部７１が設けられている。  
以下、後方スタック２０について説明する。
【００２６】
図２に示すのは、本発明に係る後方スタックが収納ポジション（第１位置）のときのプリンタの側面図である。また、図３に示すのは、本発明に係る後方スタックが使用ポジション（第２位置）のときのプリンタの側面図である。  
図４に示すのは、使用状態における後方スタックを示す後方拡大斜視図である。また、図５に示すのは、図４の側面図である。
【００２７】
図２および図３に示す如く、プリンタ１の下方のスタッカ１０は、操作部６０を前方としたときの前方スタック１１と、後方スタック２０とを有している。  
このうち、前方スタック１１は、フロントパイプ１２、１２と、第１布シート３０と、アーム部１４、１４とを有する。フロントパイプ１２、１２およびアーム部１４、１４は、用紙Ｐの幅方向Ｘにそれぞれ一対設けられている。そして、一対のフロントパイプ１２、１２は、ベース９に設けられた第１回動軸１３を支点に揺動可能に設けられている。同様に、一対のアーム部１４、１４は、ベース９に設けられたアーム回動軸１５を支点に揺動可能に設けられている。
【００２８】
従って、一対のフロントパイプ１２、１２を後方へ揺動させ、一対のアーム部１４、１４を前方へ揺動させて第１布シート３０をぴんと張ることができる。該状態では、開口部７から排出された用紙Ｐを前方へ案内して排出することができる。  
一方、一対のフロントパイプ１２、１２を前方へ揺動させると第１布シート３０を弛ませることができる。そして、開口部７の真下に第２布シート３１が位置するように構成することができる。
【００２９】
従って、該状態では、開口部７から排出された用紙Ｐを後方へ、即ち、後方スタック２０へ案内することができる。  
ここで、開口部７の真下から後方スタック２０までの排出経路において、排出方向下流側へ進むに従い鉛直方向下方へ変位するように傾斜した第２傾斜部３９を有している。従って、用紙Ｐを自重によって滑り降りるように後方スタック２０へ案内することができる。
【００３０】
図２〜図５に示す如く、後方スタック２０は、スタックフレーム部２１、２１と、ジョイント部２３と、第２布シート３１と、フィルム材４０、４０…と、第１布固定軸５０と、第２布固定軸５１とを有する。スタックフレーム部２１、２１は、用紙Ｐの幅方向Ｘに一対設けられている。そして、ベース９に設けられた第２回動軸２２を支点に揺動可能に設けられている。ジョイント部２３は、スタックフレーム部２１、２１の自由端側に一対のスタックフレーム部２１、２１を繋ぐように設けられている。
【００３１】
また、第２布シート３１は、ベース９に設けられた第１布固定軸５０および第２布固定軸５１によって固定されている。またさらに、第２布シート３１の前方である排出方向上流端は、第１布シート３０と同様にフロントパイプ１２、１２の先端に取付けられている。一方、第２布シート３１の後方である排出方向下流端は、ジョイント部２３に取付けられている。
【００３２】
ここで、第１布固定軸５０および第２布固定軸５１の位置関係は、鉛直方向において第２布固定軸５１が第１布固定軸５０より下がった位置となるように構成されている。従って、排出された用紙Ｐは、用紙Ｐの自重によって排出方向下流側へ容易に進むことができる。  
尚、第１布固定軸５０および第２布固定軸５１は、第２布シート３１において約一周巻き付けられて形成された孔に挿通することによって第２布シート３１を固定するように構成されている（図６および図７参照）。即ち、第１布固定軸５０および第２布固定軸５１の外周面に第２布シート３１の一部が巻き付いて前記孔が形成され、第１布固定軸５０および第２布固定軸５１が該孔に挿通した状態となる。
【００３３】
またさらに、第２布シート３１の上面側には、プラスチック等の低摩擦部材であるフィルム材４０、４０…が複数本、排出方向Ｙに延設されている。具体的には、フィルム材４０、４０…は、それぞれ、第１係止部４１、４１…、第２係止部４２、４２…および第３係止部４３、４３…の３箇所で第２布シート３１に係止されている。  
従って、撓み具合が異なる部材を曲げる際、異なる径（アール）を描くことができ、曲げが妨げられる虞がない。
【００３４】
その結果、図２に示す如く、後方スタック２０を無理なく収納することができる。このとき、第２布固定軸５１とジョイント部２３との間において、第２布シート３１はぴんと張った状態である。従って、見栄えがよい。また、収納した状態でプリンタ１を移動させた際、第２シートが床Ｕと接触する虞がない。従って、プリンタ１を移動した際に、第２布シート３１が汚れる虞がない。
【００３５】
また、ひも部７１の両端部７２、７２は、それぞれ本体部２に設けられた一対のひも係合部２ａ、２ａと係合している。そして、ひも部７１の中間部分７３は、後方スタック２０における幅方向Ｘの中央部分２４ａに係止されている。具体的には、後方スタック２０に縫いつけられている。従って、一対のひも係合部２ａ、２ａにおいて、何らかの原因によりひも部７１との係合が解除された場合であっても、ひも部７１が紛失する虞がない。  
続いて、用紙飛び出し防止手段７０としてのひも部７１の作用効果について説明する。
【００３６】
図６に示すのは、本発明に係るひも部が用紙の先端を受け止めている様子を示す斜視図である。また、図７に示すのは、本発明のひも部が用紙の先端を受け止める様子を示す側面図である。またさらに、図８に示すのは、本発明のひも部が用紙先端を受け止め上方へ案内する様子を示す側面図である。  
図６から図８に示す如く、用紙Ｐが後方スタック２０へ排出されると、用紙Ｐの先端は、後方スタック２０の先端側に設けられた第１傾斜部２５に向かって移動する。  
ここで、第１傾斜部２５は、後方スタック２０における第２係止部４２、４２…と第３係止部４３、４３…との間のフィルム材４０、４０…の姿勢に対して傾斜している。具体的には、後方スタック２０の先端側が鉛直方向上方となるように傾斜している。
【００３７】
このとき、用紙ＰのサイズがＢ０サイズであれば、用紙Ｐの先端が第１傾斜部２５に位置したときに停止するように設けられている。  
ところが、Ｂ０サイズより長いＢ０ノビである場合、用紙Ｐの先端が第１傾斜部２５を飛び出して床Ｕと接触する虞がある。また、比較的サイズが小さい用紙Ｐであっても、本体部２から排出され、自重によって落下しフロントパイプ１２、１２に支持された第２布シート３１上のフィルム材４０、４０…上を勢いよく滑り落ち、後方スタック２０まで勢いよく排出された場合も同様である。フィルム材４０、４０…の摩擦係数が小さいため、用紙Ｐの先端が後方スタック２０から飛び出して床Ｕと接触する虞がある。  
そこで、本実施形態のインクジェットプリンタ１は、用紙Ｐの先端が後方スタック２０から飛び出して床Ｕと接触することを防止する用紙飛び出し防止手段７０を備えている。
【００３８】
具体的に用紙飛び出し防止手段７０は、ひも部７１を有している。そして、前述したようにひも部７１の両端部７２、７２は、本体部２に設けられた一対のひも係合部２ａ、２ａと係合している。また、ひも部７１の中間部分７３は、スタック先端部２４における幅方向Ｘの中央部分２４ａに係止されている。言い換えると、ひも部７１は、ひも係合部２ａ、２ａおよびスタック先端部２４と連結することにより、図７および図８に示す如く、側視閉領域Ａを構成する。  
ここで、「側視閉領域」とは、排出方向下流側が閉じられた領域をいう。また、ひも部７１は、ひも係合部２ａ、２ａとスタック先端部２４との間において床Ｕと接触しない程度に弛みを持たせた状態で連結されている。詳しくは後述するように、用紙Ｐの先端を柔軟に受け止めるためである。
【００３９】
そして、後方スタック２０において、用紙Ｐの先端が勢いよく排出方向上流側から下流側へ進むと、用紙Ｐの先端は、第１傾斜部２５の傾斜を上ってスタック先端部２４からはみ出る。すると、用紙Ｐの先端は、弛んだ状態のひも部７１と接触する。用紙Ｐの先端がスタック先端部２４からさらにはみ出ると、徐々にひも部７１を弛み量が減少する。このとき、用紙Ｐがはみ出る方向へ進む力は、ひも部７１が張るように該ひも部７１を移動させる力へ変換される。
【００４０】
その後、用紙Ｐの先端がさらにはみ出る方向へ進むと、図８に示す如く、ひも部７１は、用紙Ｐの先端をスタック先端部２４側からひも係合部２ａ、２ａ側へ案内する。即ち、スタック先端部２４より鉛直方向上方に設けられたひも係合部２ａ、２ａ側へ案内する。そして、用紙Ｐがスタック先端部２４からはみ出ようとする力はひも部７１に吸収され、用紙Ｐは停止する。即ち、ひも部７１は、用紙Ｐの柔軟に受け止めることができる。
【００４１】
ここで、「柔軟に」を噛み砕いて説明すると、以下のようになる。  
弛みのあるひも部７１の弛み量は、用紙Ｐの先端と当接することによって減少する。その後、用紙Ｐの先端の軌跡を、側視曲線を描きながら、スタック先端部２４側から上方であるひも係合部２ａ、２ａ側へ向かわせることができる。この際、用紙Ｐの運動エネルギーが位置エネルギーへ変換されることや摩擦抵抗により、用紙Ｐを停止させることができる。即ち、用紙Ｐを減速させて停止させる構成である。
【００４２】
ここで、ひも部７１の弛み量が多いほど、用紙Ｐの先端が描く軌跡の曲線を緩やかにすることができる。即ち、ひも部７１の弛み量が多いほど、より柔軟に用紙Ｐを受け止めることができる。  
その結果、用紙Ｐの先端が、床Ｕと接触して汚れる虞がない。また、用紙Ｐの先端を柔軟に受け止めるので、用紙Ｐの先端のダメージを、従来技術である度当てて受け止めた場合と比較して低減することができる。
【００４３】
特に、本体部２の下方に排紙受け部５が設けられている場合、自重によって用紙Ｐが排出スタッカとしての後方スタック２０に勢いよく滑り降りるので、用紙飛び出し防止手段７０は有効である。用紙ＰがＢ０ノビ等の所定サイズに限らず、ロール紙の場合も同様である。具体的には、ロール紙が図示しないカッタによって切断されて自重によって後方スタック２０まで勢いよく滑り降りる場合である。
【００４４】
また、排出スタッカとしての後方スタック２０上に低摩擦部材であるフィルム材４０、４０…が設けられている場合、用紙Ｐの先端が後方スタック２０のスタック先端部２４からはみ出る傾向にあるので、用紙飛び出し防止手段７０は有効である。  
またさらに、後方スタック２０までの経路である第２傾斜部３９が、滑り台のように排出方向下流側が下がっている場合、用紙Ｐの先端が後方スタック２０のスタック先端部２４からはみ出る傾向にあるので、用紙飛び出し防止手段７０は有効である。
【００４５】
また、第１傾斜部２５は、排出方向下流側へ進むに従って上方へ変位するように傾斜している。従って、用紙Ｐの先端が後方スタック２０からはみ出る際の用紙Ｐの先端の姿勢を上向きにすることができる。従って、ひも部７１がはみ出た用紙Ｐの先端を上方へ案内することをアシストすることができる。言い換えると、用紙Ｐの先端の軌跡をより緩やかな曲線にすることができる。その結果、ひも部７１は、よりスムーズに用紙Ｐの先端を受け止めることができる。
【００４６】
またさらに、ひも部７１は一本のひもである。従って、容易に用紙飛び出し防止手段７０を構成することができる。また、コスト面にも優れている。  
また、ひも部７１の両端部７２、７２は一対のひも係合部２ａ、２ａと係合し、ひも部７１の中間部分７３はスタック先端部２４における幅方向Ｘの中央部分２４ａに係止されている。即ち、Ｖ字状に設けられている。従って、用紙Ｐのサイズが異なる場合でも、ひも部７１は用紙Ｐの先端と接触して柔軟に受け止めることができる。また、２点で用紙Ｐの先端と接触することができるので、用紙Ｐの姿勢が不安定になる虞がない。またさらに、ひも部７１がＶ字状に設けられているため、後方スタック２０に排出された用紙Ｐを取り上げる際、ひも部７１が邪魔になることがない。
【００４７】
また、ひも部７１は可撓性部材であるので、図２に示す収納ポジションおよび図３に示す使用ポジションへの後方スタック２０のポジション切替えを妨げる虞がない。このとき、ひも部７１を後方スタック２０の内側に収納することができ、見栄えもよい。  
またさらに、用紙飛び出し防止手段７０を設けることにより、後方スタック２０自体の長さを短くすることが可能である。短く構成した場合であっても、用紙Ｐの先端が後方スタック２０から飛び出して床Ｕと接触する虞がないからである。その結果、記録装置を全体として小型化することができる。
【００４８】
本実施形態の記録装置としてのインクジェットプリンタ１は、送られた被記録媒体の一例である用紙Ｐに対して記録を実行する記録部としての記録実行部４と、記録実行部４を有する装置本体部としての本体部２と、本体部２から排出された用紙Ｐを載置する排出スタッカとしての後方スタック２０と、後方スタック２０の排出方向下流端であるスタック先端部２４と、スタック先端部２４より載置方向上方において本体部２のひも係合部２ａ、２ａとを連結して側視閉領域Ａを形成する可撓性部材の一例であるひも部７１と、を備えていることを特徴とする。
【００４９】
本実施形態のインクジェットプリンタ１は、インクジェットプリンタ１が設置された設置面である床Ｕに接触しない程度に弛ませた状態で後方スタック２０のスタック先端部２４と、スタック先端部２４より載置方向上方において本体部２とを連結するひも部７１を備えていることを特徴とする。  
本実施形態のインクジェットプリンタ１は、用紙Ｐが排出されることに従って後方スタック２０のスタック先端部２４からはみ出た用紙Ｐの先端が、ひも部７１と接触しひも部７１によって本体部２側へ案内される構成であることを特徴とする。
【００５０】
また、本実施形態において、後方スタック２０は、スタック先端部２４より排出方向上流側に設けられた回動軸としての第２回動軸２２を支点に回動し、収納時にとる第１位置である収納ポジション、および本体部２から排出された用紙Ｐを載置する第２位置である使用ポジションを有することを特徴とする。  
またさらに、本実施形態において、前記可撓性部材は、ひも状物のひも部７１であることを特徴とする。
【００５１】
また、本実施形態において、ひも部７１の両端部７２、７２は、本体部２のひも係合部２ａ、２ａと係合し、ひも部７１の中間部分７３は、後方スタック２０のスタック先端部２４と幅方向Ｘにおける中央部分２４ａにおいて係合する構成であることを特徴とする。  
またさらに、本実施形態において、後方スタック２０は、スタック先端部２４において、上流側から下流側へ進むに従い上方へ変位するように傾斜した第１傾斜部２５を有することを特徴とする。
【００５２】
また、本実施形態において、後方スタック２０は、本体部２の鉛直方向下方に設けられ、本体部２から後方スタック２０までの間において、排出方向下流側へ進むに従い鉛直方向下方へ変位するように傾斜した第２傾斜部３９を有することを特徴とする。  
またさらに、本実施形態において、第２傾斜部３９は、シート状の第１部材としての第２布シート３１と、第２布シート３１の載置方向上方において、用紙Ｐの排出方向Ｙに延設されると共に用紙Ｐの幅方向Ｘに複数設けられ、第２布シート３１より摩擦係数が小さい第２部材としてのフィルム材４０と、を有することを特徴とする。
【００５３】
尚、本発明は上記実施例に限定されることなく、特許請求の範囲に記載した発明の範囲内で、種々の変形が可能であり、それらも本発明の範囲内に含まれるものであることは言うまでもない。
【図面の簡単な説明】
【００５４】
【図１】本発明に係るプリンタの外観斜視図。
【図２】本発明に係るプリンタの側面図（後方スタック収納ポジション）。
【図３】本発明に係るプリンタの側面図（後方スタック使用ポジション）。
【図４】使用状態における後方スタックを示す後方拡大斜視図。
【図５】図４の側面図。
【図６】本発明に係るひも部が用紙の先端を受け止めている様子を示す斜視図。
【図７】本発明のひも部が用紙の先端を受け止める様子を示す側面図。
【図８】本発明のひも部が用紙先端を受け止め上方へ案内する様子を示す側面図。
【図９】従来技術における排出スタッカの一例を示す概略側面図。
【符号の説明】
【００５５】
１  インクジェットプリンタ、２  本体部、２ａ  ひも係合部、３  ロール紙供給部、
４  記録実行部、５  排紙受け部、６  （ロール紙の）排出口、７  開口部、８  支柱、
９  ベース、１０  （ロール紙の）スタッカ、１１  前方スタック、
１２  フロントパイプ、１３  第１回動軸、１４  アーム部、１５  アーム回動軸、
２０  後方スタック、２１  スタックフレーム部、２２  第２回動軸、
２３  ジョイント部、２４  スタック先端部、２４ａ  中央部分、２５  傾斜部、
３０  第１布シート、３１  第２布シート、３９  第２傾斜部、４０  フィルム材、
４１  第１係止部、４２  第２係止部、４３  第３係止部、５０  第１布固定軸、
５１  第２布固定軸、５２  脚輪、６０  操作部、７０  用紙飛び出し防止手段、
７１  ひも部、７２  端部、７３  中間部分、８０  （従来技術の）排出スタッカ、
８１  度当てストッパ、８２  用紙、８３  記録部、Ａ  閉領域、
Ｐ  ロール紙（用紙）、Ｒ  ロール、Ｕ  床、Ｘ  幅方向、Ｙ  排出方向
【図１】
2010111463.tif 000003
【図２】
2010111463.tif 000004
【図３】
2010111463.tif 000005
【図４】
2010111463.tif 000006
【図５】
2010111463.tif 000007
【図６】
2010111463.tif 000008
【図７】
2010111463.tif 000009
【図８】
2010111463.tif 000010
【図９】
2010111463.tif 000011